(57)【特許請求の範囲】
【請求項１】
チューナにて受信したデジタル放送データを処理遅延時間が小さい第１の復号手段と処理遅延時間が大きい第２の復号手段とでそれぞれ復号し、前記第１の復号手段から出力された第１の映像、または、前記第２の復号手段から出力された第２の映像を切替手段で切り替えて表示手段に表示する受信装置であって、
前記切替手段により前記第１の復号手段の前記第１の映像から前記第２の復号手段の前記第２の映像に切り替える場合に、前記切り替えのタイミングで前記第１の復号手段から出力された所定の映像を前記表示手段に表示するように制御する第１の制御手段と、
前記切り替えのタイミングにおいて前記第１の復号手段で復号されていた前記デジタル放送データの時間情報を取得する取得手段と、
前記取得手段が取得した前記時間情報に一致する時間情報の前記デジタル放送データが前記第２の復号手段で復号された場合に、前記第１の復号手段から出力された前記所定の映像から前記第２の復号手段から出力された前記第２の映像に切り替えて前記表示手段に表示するように制御する第２の制御手段と、を有することを特徴とする受信装置。
【請求項２】
前記第１の復号手段から出力された前記所定の映像は、黒画面映像、または、前記切り替えのタイミングにおいて前記第１の復号手段で復号された映像である、ことを特徴とする請求項１記載の受信装置。
【請求項３】
前記第２の復号手段は、前記第２の復号手段で復号される前記デジタル放送データと、前記第１の復号手段で復号される前記デジタル放送データと、の処理遅延時間の遅れを最小化するようにバッファを制御することを特徴とする請求項１または請求項２に記載の受信装置。
【請求項４】
チューナにて受信したデジタル放送データを処理遅延時間が小さい第１の復号手段と処理遅延時間が大きい第２の復号手段とでそれぞれ復号し、前記第１の復号手段から出力された第１の映像、または、前記第２の復号手段から出力された第２の映像を切替手段で切り替えて表示手段に表示する受信装置で行う受信方法であって、
前記切替手段により前記第１の復号手段の前記第１の映像から前記第２の復号手段の前記第２の映像に切り替える場合に、前記切り替えのタイミングで前記第１の復号手段から出力された所定の映像を前記表示手段に表示するように制御する第１の制御工程と、
前記切り替えのタイミングにおいて前記第１の復号手段で復号されていた前記デジタル放送データの時間情報を取得する取得工程と、
前記取得工程で取得した前記時間情報に一致する時間情報の前記デジタル放送データが前記第２の復号手段で復号された場合に、前記第１の復号手段から出力された前記所定の映像から前記第２の復号手段から出力された前記第２の映像に切り替えて前記表示手段に表示するように制御する第２の制御工程と、を有することを特徴とする受信方法。
【請求項５】
チューナにて受信したデジタル放送データを処理遅延時間が小さい第１の復号手段と処理遅延時間が大きい第２の復号手段とでそれぞれ復号し、前記第１の復号手段から出力された第１の映像、または、前記第２の復号手段から出力された第２の映像を切替手段で切り替えて表示手段に表示するコンピュータに実行させるプログラムであって、
前記切替手段により前記第１の復号手段の前記第１の映像から前記第２の復号手段の前記第２の映像に切り替える場合に、前記切り替えのタイミングで前記第１の復号手段から出力された所定の映像を前記表示手段に表示するように制御する第１の制御処理と、
前記切り替えのタイミングにおいて前記第１の復号手段で復号されていた前記デジタル放送データの時間情報を取得する取得処理と、
前記取得処理で取得した前記時間情報に一致する時間情報の前記デジタル放送データが前記第２の復号手段で復号された場合に、前記第１の復号手段から出力された前記所定の映像から前記第２の復号手段から出力された前記第２の映像に切り替えて前記表示手段に表示するように制御する第２の制御処理と、を、前記コンピュータに実行させることを特徴とするプログラム。
【発明の詳細な説明】
【技術分野】
【０００１】
本発明は、ＴＶ機能を備えた情報処理装置に関するものである。
【背景技術】
【０００２】
アナログ放送とデジタル放送を切り替えて受信するテレビ受信機がある。アナログ放送は瞬時に視聴できるが、デジタル放送は圧縮符号化されさらに暗号化されており受信しても復号処理が必要なため受信した映像を画面に映し出すまでに時間がかかっていた。このため同じチャンネルでの視聴をアナログからデジタルへの受信機の切り替えを行うと、アナログでは既に表示された映像がデジタルに切り替えると再度表示されてしまうといった問題があった。そこで例えば特許文献１のようにアナログチューナにより出力された映像信号をデジタル放送チューナにより出力された映像信号と一致するまで遅延させることにより上記問題を解決することが提案されている。
【０００３】
【特許文献１】特開２００６−１３８４５
【発明の開示】
【発明が解決しようとする課題】
【０００４】
視聴できるまでの時間が異なるものとして、例えばデジタル放送用チューナからの復号経路をハードウエアによる復号処理経路と、ＯＳ上で動作するアプリケーションソフトウエアによる復号処理経路で構成される受信装置においては、ハードウエアによる復号処理経路では比較的短時間に視聴ができるが、アプリケーションソフトウエアによる復号処理経路ではＯＳが立ち上がるまでの時間がかかりソフトウエアによる処理にも時間がかかるため、ハードウエアによる復号処理経路からアプリケーションソフトウエアによる復号処理経路に切り替えようとすると前者で既に表示された映像が後者で再び表示されてしまう問題が起こる。これを上述した従来技術と同様の観点で解決しようとすると受信装置を電源ＯＮしてから視聴できるまでにアプリケーションソフトウエアによる復号処理経路と同様に遅延してしまい視聴可能となるまでに非常に長い時間待たされてしまう。
【０００５】
本発明では、処理遅延時間が短い処理経路から処理遅延時間が長い処理経路に切り替える際に既に見た映像が再度表示されず、映像の連続性を保つように切り替え制御することを目的とする。
【課題を解決するための手段】
【０００６】
本開示の一態様にかかる受信装置は、
チューナにて受信したデジタル放送データを処理遅延時間が小さい第１の復号手段と処理遅延時間が大きい第２の復号手段とでそれぞれ復号し、前記第１の復号手段から出力された第１の映像、または、前記第２の復号手段から出力された第２の映像を切替手段で切り替えて表示手段に表示する受信装置であって、
前記切替手段により前記第１の復号手段の前記第１の映像から前記第２の復号手段の前記第２の映像に切り替える場合に、前記切り替えのタイミングで前記第１の復号手段から出力された所定の映像を前記表示手段に表示するように制御する第１の制御手段と、
前記切り替えのタイミングにおいて前記第１の復号手段で復号されていた前記デジタル放送データの時間情報を取得する取得手段と、
前記取得手段が取得した前記時間情報に一致する時間情報の前記デジタル放送データが前記第２の復号手段で復号された場合に、前記第１の復号手段から出力された前記所定の映像から前記第２の復号手段から出力された前記第２の映像に切り替えて前記表示手段に表示するように制御する第２の制御手段と、を有することを特徴とする。
【発明の効果】
【００１０】
本発明によれば、処理遅延時間が短い処理経路から処理遅延時間が長い処理経路に切り替える際に既に見た映像が再度表示されず、映像の連続性を保つように切り替え制御することができる。
【発明を実施するための最良の形態】
【００１１】
以下、図面を参照して本発明を実施するための最良の形態について詳細に説明する。まず、図１を参照して本発明の実施の形態について説明する。図１は本発明の実施の形態の構成について説明するための概念図である。図１においてアンテナ１はデジタル放送用アンテナである。受信/復調手段１はデジタル放送を受信し復調し、さらに生成したデータに新たな時間情報を埋め込むことも可能である。
【００１２】
復号手段１は後述する復号手段２よりも短い処理遅延時間で復号が可能であり、通常ではハードウエアにて構成される。
復号手段２は前述した復号手段１より長い処理遅延時間で復号が可能であり、通常ではＯＳ上で動作するアプリケーションソフトウエアにて構成される。
復号手段１と復号手段２は図示しないがそれぞれバッファを有しており、さらに復号手段２においてはバッファの制御機能を有している。制御機能としてはバッファをクリアしたりバッファの容量を制御する等である。
【００１３】
図示しないが復号手段１、２にはそれぞれ所定の映像を固定的に出力可能である。出力可能な映像として例えば黒画面映像やデコード済みの映像（静止画）である。
図示しないが復号手段１と復号手段２は監視手段により復号状況を監視される。ここで監視される対象としては復号時における放送データにあらかじめ放送局等で組み込まれている時間情報や受信/復調手段１により新たに埋め込まれた時間情報がある。また、監視される時間情報は実際の時間ではなく時系列を示すＩＤのような符号でもよい。
切替手段４は復号手段１の出力と復号手段２の出力を切り替える。
表示手段５はデジタル放送映像を表示するためのものである。
【００１４】
次に動作について説明する。本実施の形態の動作について図２から３を参照して説明する。図２は本発明の信号制御のロジック図である。受信/復調手段１にて信号ソース（例として地デジなど）から受信した信号を復号手段１および復号手段２の入力形式に一致する信号に変換し出力する。（この時、同一の時間情報を付与されていれば、それぞれの復号回路に与えられる信号形式は異なっていても良い。）
次に、復号手段１及び復号手段２にて映像の復号処理を並列的に実行する。（復号処理の並列処理は常時ではなく、最低限、切替操作の前後で行なわれていればよい。）通常ではあらかじめ切替手段４にて処理遅延の短い復号手段１の映像が選択されており、表示装置５に出力されている。
【００１５】
ここでユーザ操作もしくは規定のトリガにより復号手段１から復号手段２への切替処理を開始する。復号手段１における復号時のデジタル放送データに組み込まれた時間情報を取得する。（この時の時間データはあらかじめ放送局で組み込まれた時間情報でもよいし、受信/復調手段２にて埋め込まれた時間情報でもよい）。
【００１６】
切替手段４の切替処理の開始に同期して、復号手段１の出力を復号手段１からの黒画面に切り替える。このとき切り替えたタイミングで復号手段１は黒画面の出力を行うようにＣＰＵ等により指示される。（または切り替たタイミングにおける映像の出力を行うようにＣＰＵ等により指示される。）
また、監視手段は切り替えたタイミングにおける復号手段１におけるデジタル放送データに組み込まれた時間情報を取得する。そして復号手段２において監視手段により取得された時間情報に一致するデジタル放送データが復号されるタイミングにおいて切替手段４により復号手段２の出力映像に切り替えられる。この一連の動作により、表示される映像に不要の重複なく連続した映像が提供される。
【００１７】
図示していないが復号手段１及び復号手段２にはそれぞれバッファを有している。復号手段２にはバッファ制御機能も有している。これは監視手段により復号回路１での復号データの時間情報に最適化するように復号回路２でのバッファ制御をおこなうことも可能である。例えばタイミング概念図１において１−１（ｂ）の時刻４のデータをデコード時においては１−１（ｃ）のバッファを小さくして１−１（ｂ）の再生タイミングに追いつくまでバッファをクリアするなどして１−１（ｃ）でのデコードデータが１−１（ｂ）のデータに最小の時間差で追いつくようにし遅れを最小化するようにバッファを制御することも可能である。これにより黒画面や静止画の表示する期間を極力短くするようにしてユーザの違和感を少なくなくなるようにすることが望ましい。
【図面の簡単な説明】
【００１８】
【図１】本発明の実施の形態のブロック図である。
【図２】本発明の実施の形態の第１のタイミング概念図である。
【図３】本発明の実施の形態の第２のタイミング概念図である。
【符号の説明】
【００１９】
１  チューナ
２  受信/復号回路
３  復号回路（１）
４  切り替え回路
５  表示装置
６  復号回路（２）
【図１】
0005269458.tif 000002
【図２】
0005269458.tif 000003
【図３】
0005269458.tif 000004